(57)【要約】【課題】アップロードしたい画像がパーソナルコンピュータ等に予め存在しない場合、カメラで撮像した画像を簡単かつ短時間でアップロードする技術を確立すること。【解決手段】、サーバ１と、第１の端末２と、第２の端末３とを含むシステムであって、前記第１の端末２の第１表示制御部６１は、第１の入力フォームに対応する第２の入力フォームを取得する為に必要な情報自体、又はその情報を入力する入力部を含む当該第１の入力フォームを表示させ、前記第２の端末３の前記第２表示制御部７２は、前記第１の入力フォームに含まれる前記情報に基づいて、前記第２の入力フォームを取得して表示させ、前記サーバ１のアップロード受付部５４は、前記第１の入力フォームに入力された情報又は前記第２の入力フォームに入力された情報を受け付ける。【選択図】図３
2018045521.tif 000002
【特許請求の範囲】
【請求項１】
サーバと、第１の端末と、第２の端末とを含むシステムであって、
前記第１の端末は、
第１の入力フォームであって、当該第１の入力フォームに対応する第２の入力フォームを取得する為に必要な情報自体、又はその情報を入力する入力部を含む当該第１の入力フォームを表示させる第１表示制御手段
を備え、
前記第２の端末は、
前記第１の端末により表示される前記第１の入力フォームに含まれる前記情報に基づいて、前記第２の入力フォームを取得して表示させる第２表示制御手段と、
を備え、
前記サーバは、
前記第１の入力フォームに入力された情報又は前記第２の入力フォームに入力された情報を受け付けるアップロード受付手段、
を備える情報処理システム。
【請求項２】
前記情報は、前記第１の入力フォームに対応する第２の入力フォームを取得出来るアクセス先を示す画像
であり、
前記第２の端末は、
前記第１の端末により表示される前記第１の入力フォームに含まれる前記アクセス先を示す画像を撮像する撮像手段と、
前記撮像手段に撮像された前記アクセス先を示す画像を認識するアクセス先認識手段と、
を更に備え、
前記第２表示制御手段は、前記アクセス先認識手段が認識した前記アクセス先にアクセスして前記アクセス先から前記第２の入力フォームを取得して表示させる、
請求項１に記載の情報処理システム。
【請求項３】
前記アップロード受付手段は、
前記第１の入力フォームと前記第２の入力フォームとのうち一方に入力された情報を受け付けると、他方の入力フォームにアップロードを反映させる、
請求項１又は請求項２に記載の情報処理システム。
【請求項４】
前記アクセス先を示す画像は２次元バーコード画像である、
請求項２又は請求項３に記載の情報処理システム。
【発明の詳細な説明】
【技術分野】
【０００１】
本発明は、情報処理システムに関する。
【背景技術】
【０００２】
従来より、ユーザは、パーソナルコンピュータでＷＥＢを操作して、申込みなどのフォームで画像のアップロードをしている（例えば特許文献１参照）。この場合、ファイルアップロードのインターフェースを操作して、パーソナルコンピュータに保存された画像を指定する手法（若しくはファイルを特定の場所にドラッグ＆ドロップするインターフェース）が一般的に採用されている。
【先行技術文献】
【特許文献】
【０００３】
【特許文献１】特開２０１０−１５７２６７号公報
【発明の概要】
【発明が解決しようとする課題】
【０００４】
しかしながら、特許文献１を含め従来の技術では、アップロードしたい画像がパーソナルコンピュータ内にない場合は、カメラでの撮影の後、パーソナルコンピュータへの取り込みという操作を行わなければならず、手間が掛かる。
そこで、アップロードしたい画像がパーソナルコンピュータ等に予め存在しない場合、カメラで撮像した画像を簡単かつ短時間でアップロードする技術の確立が要求されている。
【０００５】
本発明は、このような状況に鑑みてなされたものであり、アップロードしたい画像がパーソナルコンピュータ等に予め存在しない場合、カメラで撮像した画像を簡単かつ短時間でアップロードする技術の確立を目的とする。
【課題を解決するための手段】
【０００６】
上記目的を達成するため、本発明の一態様である情報処理システムは、
サーバと、第１の端末と、第２の端末とを含むシステムであって、
前記第１の端末は、
第１の入力フォームであって、当該第１の入力フォームに対応する第２の入力フォームを取得する為に必要な情報自体、又はその情報を入力する入力部を含む当該第１の入力フォームを表示させる第１表示制御手段
を備え、
前記第２の端末は、
前記第１の端末により表示される前記第１の入力フォームに含まれる前記情報に基づいて、前記第２の入力フォームを取得して表示させる第２表示制御手段と、
を備え、
前記サーバは、
前記第１の入力フォームに入力された情報又は前記第２の入力フォームに入力された情報を受け付けるアップロード受付手段
を備える。
【発明の効果】
【０００７】
本発明によれば、アップロードしたい画像がパーソナルコンピュータ等に予め存在しない場合、カメラで撮像した画像を簡単かつ短時間でアップロードする技術の確立することができる。
【図面の簡単な説明】
【０００８】
【図１】本発明の情報処理システムの一実施形態の構成を示すブロック図である。
【図２】図１の情報処理システムのうちサーバのハードウェア構成を示すブロック図である。
【図３】図１の情報処理システムのうちサーバ、第１の端末及び第２の端末の機能的構成例を示す機能ブロック図である。
【図４】図１の情報処理システムのうち第１の端末及び第２の端末に提示される画面の一例を示す図である。
【図５】図１の情報処理システムのうち第１の端末及び第２の端末に提示される画面の一例を示す図である。
【図６】図３の機能的構成を有するサーバ、第１の端末及び第２の端末が実行する、処理の流れの一例を説明するシーケンス図である。
【発明を実施するための形態】
【０００９】
図１は、本発明の一実施形態に係る情報システムの構成を示すブロック図である。
図１に示す情報処理システムは、サーバ１と、第１の端末２及び第２の端末３とを含むように構成される。
サーバ１と、第１の端末２及び第２の端末３とは、インターネット等の所定のネットワークＮを介して相互に接続されている。
【００１０】
サーバ１は、第１の端末２及び第２の端末３に第１の入力フォーム及び第２の入力フォームを表示させ、写真等のファイルをアップロードする環境を提供する。
【００１１】
図２は、図１の情報処理システムのうちサーバ１のハードウェア構成を示すブロック図である。
サーバ１は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、バス２４と、入出力インターフェース２５と、出力部２６と、入力部２７と、記憶部２８と、通信部２９と、ドライブ３０とを備えている。
【００１２】
ＣＰＵ２１は、ＲＯＭ２２に記録されているプログラム、又は、記憶部２８からＲＡＭ２３にロードされたプログラムに従って各種の処理を実行する。
ＲＡＭ２３には、ＣＰＵ２１が各種の処理を実行する上において必要なデータ等も適宜記憶される。
【００１３】
ＣＰＵ２１、ＲＯＭ２２及びＲＡＭ２３は、バス２４を介して相互に接続されている。このバス２４にはまた、入出力インターフェース２５も接続されている。入出力インターフェース２５には、出力部２６、入力部２７、記憶部２８、通信部２９及びドライブ３０が接続されている。
【００１４】
出力部２６は、各種液晶ディスプレイ等で構成され、各種情報を出力する。
入力部２７は、マウスやキーボード等で構成され、各種情報を入力する。
記憶部２８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部２９は、インターネットを含むネットワークＮを介して他の装置（図１の例では第１の端末２や第２の端末３）との間で行う通信を制御する。
【００１５】
ドライブ３０は、必要に応じて設けられる。ドライブ３０には磁気ディスク、光ディスク、光磁気ディスク、或いは半導体メモリ等よりなる、リムーバブルメディア４１が適宜装着される。ドライブ３０によってリムーバブルメディア４１から読み出されたプログラムは、必要に応じて記憶部２８にインストールされる。またリムーバブルメディア４１は、記憶部２８に記憶されている各種データも、記憶部２８と同様に記憶することができる。
【００１６】
第１の端末２又は第２の端末３の構成は、タッチパネル又はカメラを有する場合が有る点を除き、サーバ１の構成と基本的に同様であるので、ここではそれらの説明は省略する。
【００１７】
このような図２のサーバ１、第１の端末２及び第２の端末３の各種ハードウェアと各種ソフトウェアとの協働により、次のような処理が可能となる。
【００１８】
即ち、本実施形態では、サーバ１は、ファイルアップロードを、第１の端末２に表示された第１の入力フォームから受付け、ユーザからの要求によりさらに、第２の端末３に表示された第２の入力フォームから受け付ける。サーバ１は、第１の入力フォーム及び第２の入力フォームを同期させ、アップロードした画像等の表示を両者に反映させる。
以上説明したような、第１の端末２及び第２の端末３の両方からアップロードを受付ける一連の処理（以下、「複数端末アップロード処理」と呼ぶ）を実現すべく、サーバ１、第１の端末２及び第２の端末３は図３に示すような機能的構成を有している。
【００１９】
図３は、図２のサーバ１及び第１の端末２及び第２の端末３の機能的構成のうち、複数端末アップロード処理を実現する機能についての機能的構成例を示す機能ブロック図である。
【００２０】
サーバ１のＣＰＵ２１においては、２次元バーコード生成部５１と、第１入力フォーム生成部５２と、第２入力フォーム生成部５３と、アップロード受付部５４と、が機能する。
第１の端末２のＣＰＵ６８においては、第１入力情報受付部６２と、第１アップロード部６３と、第１フォーム表示部６４と、第１反映表示制御部６５と、が機能する。これらは第１表示制御部６１として機能する。
第２の端末３のＣＰＵ７９においては、第２入力情報受付部７３と、第２アップロード部７４と、第２フォーム表示部７５と、第２反映表示制御部７６と、が機能する。これらは第２表示制御部７２として機能する。
これに加えて、第２の端末３のＣＰＵ７９においては、アクセス先認識部７１が機能する。
【００２１】
サーバ１のＣＰＵ２１の２次元バーコード生成部５１は、第１の入力フォームのページリクエストを受けると、第１の入力フォームに対応する第２の入力フォームを取得出来るアクセス先を示す画像（例えばＱＲコード（登録商標）等の二次元バーコードの画像）のデータを生成する。
サーバ１のＣＰＵ２１の第１入力フォーム生成部５２は、生成されたアクセス先を示す画像のデータを含む第１の入力フォームをデータとして生成し、通信部２９を介して、第１の端末２の表示部６７に表示させる。
【００２２】
サーバ１のＣＰＵ２１の第２入力フォーム生成部５３は、第２の入力フォームのページリクエストを受けると、第１の入力フォームに対応する第２の入力フォームをデータとして生成し、通信部２９を介して、第２の端末３の表示部８０に表示させる。
ここで、第２の入力フォームは、アップロード対象が第１の入力フォームと同一であるフォーマットであれば足りるが、本実施形態では、第１の入力フォーマットと全体が同一のものであるとする。
サーバ１のＣＰＵ２１のアップロード受付部５４は、第１の入力フォームに入力された画像等の情報又は第２の入力フォームに入力された画像等の情報が第１の端末２又は第２の端末３からアップロードされてきた場合、通信部２９を介して受信することで、アップロードされてきた情報を受け付ける。
【００２３】
第１の端末２のＣＰＵ６８の第１入力情報受付部６２は、ユーザが指定した情報をアップロードの対象として受け付ける。
第１の端末２のＣＰＵ６８の第１アップロード部６３は、通信部６６を介して、サーバ１に情報をアップロードする。
【００２４】
第１の端末２のＣＰＵ６８の第１フォーム表示部６４は、アクセス先を示す画像（例えばＱＲコード（登録商標）等の二次元バーコードの画像）を含む第１の入力フォームの表示を制御する。
第１の端末２のＣＰＵ６８の第１反映表示制御部６５は、自身の第１の入力フォーム又は第２の端末３の第２の入力フォームに入力された情報がサーバ１にアップロードされた場合に、アップロードされた当該情報が、当該第１の入力フォームに添付されたことを示す様に表示を反映させる。
【００２５】
第２の端末３の撮像部７７は、第１の端末２により表示される第１の入力フォームに含まれるアクセス先を示す画像（例えばＱＲコード（登録商標）等の二次元バーコードの画像）を撮像する。
第２の端末３のＣＰＵ７９のアクセス先認識部７１は、撮像部７７に撮像されたアクセス先を示す画像（例えばＱＲコード（登録商標）等の二次元バーコードの画像）を読み取って、当該第１の入力フォームに対応する第２の入力フォームを取得出来るアクセス先（例えば本実施形態ではサーバ１のＵＲＬ等）を認識する。
【００２６】
第２の端末３のＣＰＵ７９の第２入力情報受付部７３は、ユーザが選択した情報をアップロードの対象として受け付ける。
第２の端末３のＣＰＵ７９の第２アップロード部７４は、通信部７８を介して、サーバ１に情報をアップロードする。
【００２７】
第２の端末３のＣＰＵ７９の第２フォーム表示部７５は、第２の入力フォームの表示を制御する。
第２の端末３のＣＰＵ７９の第２反映表示制御部７６は、自身の第２の入力フォーム又は第１の端末２の第１の入力フォームに入力された情報がサーバ１にアップロードされた場合に、アップロードされた当該情報が、当該第２の入力フォームに添付されたことを示す様に表示を反映させる。
【００２８】
この様な機能的構成を有することにより、第１の端末２（ＰＣ）のウェブサイトの第１の入力フォームに画像等の情報を入れてサーバ１に送信する際に、その情報（画像等）が第１の端末２に存在しない場合、ユーザは、第２の端末３（スマートフォン）でその場で撮影し、その撮影画像をウェブサイトの第２の入力フォームに入れて、サーバ１に送信することができる。この場合、第１の入力フォームに画像のアップロードが反映されるので、ユーザにとって便宜である。
【００２９】
図４は、図１の情報処理システムのうち第１の端末２及び第２の端末３に提示される画面の一例を示す図である。
第１の端末２（ＰＣ）は、第１の入力フォーム１００Ｐを表示する。
第２の入力フォーム１００Ｓは、第１の入力フォーム１００Ｐに含まれるアクセス先を示す画像１１３Ｐを、第２の端末３（スマートフォン）が撮像部７７で撮像して特定されるアクセス先にアクセスすることで、表示することができる。
【００３０】
第１の端末２（ＰＣ）の第１の入力フォーム１００Ｐは、写真領域１１１Ｐと、写真領域１１２Ｐと、アクセス先を示す画像１１３Ｐとを含んで、構成される。
写真領域１１１Ｐは、ファイル選択領域１２１Ｐと、画像表示領域１２２Ｐを含んで、構成される。
【００３１】
ファイル選択領域１２１Ｐは、パス入力欄に、「選択」ボタンを近接配置して構成される。
画像表示領域１２２Ｐは、ユーザが選択したファイルについてのサムネイル画像を表示する為の領域である。
【００３２】
ユーザにより「選択」ボタンが押下された場合、任意のファイル選択ダイアログが表示され、操作結果はパス入力欄及び画像表示領域１２２Ｐに、反映される。
更に、ファイル選択領域１２１Ｐのパス入力欄及び画像表示領域１２２Ｐは、第２の入力フォーム１００Ｓのファイル選択領域１２１Ｐの操作結果も反映される。
【００３３】
写真領域１１２Ｐについては、写真領域１１１Ｐと同様であるので、説明を省略する。
アクセス先を示す画像１１３Ｐは、本実施例では２次元バーコードであるＱＲコードであり、第２の端末３が撮像をすることにより、第２の入力フォーム１００Ｓを表示する為のアクセス先を、取得することができる。
【００３４】
第２の端末３（スマートフォン）は第２の入力フォーム１００Ｓは、写真領域１１１Ｓ、写真領域１１２Ｓを含んで、構成される。
写真領域１１１Ｓ及び写真領域１１２Ｓについては、写真領域１１１Ｐ及び写真領域１１２Ｐと同様であるので、説明を省略する。
【００３５】
上記図４の入力フォームは、入力した情報を送信することが出来る。
この様にすることにより、ＰＣのウェブサイトの入力フォームに情報を記入して送信する際に、添付ファイルのアップロードを、スマートフォンから行うことができる。
【００３６】
図５は、図１の情報処理システムのうち第１の端末２（ＰＣ）及び第２の端末３（スマートフォン）に提示される画面の一例を示す図である。
第１の入力フォーム１００Ｐ及び第２の入力フォーム１００Ｓについては、図４と同様同様の点については、説明を省略する。
【００３７】
本実施例では、第２の端末３（スマートフォン）の入力部に、ユーザがファイル選択領域１２１Ｓを操作する指令を与えたことにより、第２入力情報受付部７３において画像ファイルが選択され、更に、第２アップロード部７４により、通信部７８を介して、サーバ１に画像ファイルをアップロードしている。
ここで、画像表示領域１２２Ｐは、その領域内にアップロード画像を表示することにより、アップロードしたファイルが第１の入力フォーム１００Ｐ添付され、これをサーバ１に送信可能となったことを、ユーザに示す機能を果たす。
【００３８】
同じく、画像表示領域１２２Ｓは、その領域内にアップロード画像を表示することにより、アップロードしたファイルが第２の入力フォーム１００Ｓ添付され、これをサーバ１に送信可能となったことを、ユーザに示す機能を果たす。
この様にすることにより、ＰＣのウェブサイトの入力フォームに情報を記入して送信する際に、添付ファイルのアップロードを、スマートフォンから行うことができる。
【００３９】
図６は、図３の機能的構成を有するサーバ、第１の端末及び第２の端末が実行する処理の流れの一例を説明するシーケンス図である。
【００４０】
ステップＳ３１において、第１の端末２（ＰＣ）の第１フォーム表示部６４は、通信部６６を介してサーバ１に、入力フォームのページリクエストを、送信する。
ステップＳ３２において、サーバ１は、第１の入力フォーム１００Ｐのページリクエストが再要求であるかを判定する。
【００４１】
第１の入力フォーム１００Ｐのページリクエストは再要求ではないので、ステップＳ３３において、サーバ１の２次元バーコード生成部５１は、２次元バーコード画像を生成する。
ステップＳ３４において、サーバ１の第１入力フォーム生成部５２は、生成されたアクセス先を示す画像を含む第１の入力フォームを、生成する。
【００４２】
ステップＳ３５において、サーバ１の第１入力フォーム生成部５２は、通信部２９を介して第１の端末２に、生成された第１の入力フォームを、レスポンスする。
ステップＳ３６において、第１の端末２（ＰＣ）の第１フォーム表示部６４は、アクセス先を示す画像を含む第１の入力フォームを、表示部６７に表示させる。
【００４３】
ステップＳ３７において、第２の端末３（スマートフォン）の撮像部７７は、第１の端末により表示される第１の入力フォームに含まれるアクセス先を示す画像を撮像する。
【００４４】
ステップＳ３８において、第２の端末３のアクセス先認識部７１は、撮像部７７に撮像されたアクセス先を示す画像を読み取って、当該第１の入力フォームに対応する第２の入力フォームを取得出来るアクセス先を認識する。
ステップＳ３９において、第１の端末２（ＰＣ）の第２フォーム表示部７５は、通信部７８を介してサーバ１に、第２の入力フォーム１００Ｓのページリクエストを、送信する。
【００４５】
ステップＳ４０において、サーバ１は、第２の入力フォーム１００Ｓのページリクエストが再要求であるかを判定する。
第２の入力フォーム１００Ｓのページリクエストは再要求であるので、ステップＳ４１において、サーバ１の第２入力フォーム生成部５３は、第２の入力フォームのページリクエストを受けると、当該第１の入力フォームに対応する第２の入力フォーム１００Ｓを生成する。
【００４６】
ステップＳ４２において、サーバ１の第２入力フォーム生成部５３は、通信部２９を介して第２の端末３（スマートフォン）に、生成された第２の入力フォーム１００Ｓを、レスポンスする。
ステップＳ４３において、第２の端末３（スマートフォン）の第２フォーム表示部７５は、第２の入力フォーム１００Ｓを、表示部８０に表示させる。
【００４７】
ステップＳ４４において、第２の端末３（スマートフォン）の第２アップロード部７４は、通信部７８を介して、サーバ１のアップロード受付部５４に、ファイルをアップロードする。
ステップＳ４５において、サーバ１のアップロード受付部５４は、通信部２９を介して、第２の端末３（スマートフォン）の第２反映表示制御部７６に、第２の入力フォームにアップロードしたファイルが添付されたことを示す様に表示を反映させる。
【００４８】
ステップＳ４５において、サーバ１のアップロード受付部５４は更に、通信部２９を介して、第１の端末２（ＰＣ）の第１反映表示制御部６５に、当該第１の入力フォームにアップロードしたファイルが添付されたことを示す様に、表示を反映させる。
この様にすることにより、ＰＣのウェブサイトの入力フォームに情報を記入して送信する際に、添付ファイルのアップロードを、スマートフォンから行うことが可能となる。
【００４９】
以上、本発明の実施形態について説明したが、本発明は前述した実施形態に限るものではない。また、本実施形態に記載された効果は、本発明から生じる最も好適な効果を列挙に過ぎず、本発明による効果は、本実施形態に記載されたものに限定されるものではない。
【００５０】
例えば、図２に示す各ハードウェア構成は、本発明の目的を達成するための例示に過ぎず、特に限定されない。
【００５１】
また、図３に示す機能ブロック図は、例示に過ぎず、特に限定されない。即ち、上述した一連の処理を全体として実行できる機能が情報処理システムに備えられていれば足り、この機能を実現するためにどのような機能ブロックを用いるのかは、特に図３の例に限定されない。
【００５２】
また、機能ブロックの存在場所も、図３に限定されず、任意でよい。例えばサーバ１側の機能ブロックの少なくとも一部を第１の端末２側等に設けてもよいし、その逆でもよい。
例えば、サーバ１側の２次元バーコード生成部５１又は第１入力フォーム生成部５２は、専用アプリケーションを適用する等して、第１の端末２（ＰＣ）側が備えて良い。
また、例えば、サーバ１側の第２入力フォーム生成部５３は、専用アプリケーションを適用する等して、第２の端末３（スマートフォン）側が備えて良い。
そして、１つの機能ブロックは、ハードウェア単体で構成してもよいし、ソフトウェア単体との組み合わせで構成してもよい。
【００５３】
また例えば、上述の実施形態では第１の端末２はパーソナルコンピュータで構成されていたが、パーソナルコンピュータだけでなく、タブレットや今後の新しいデバイスを含めた任意の装置で構成することもできる。
また例えば、上述の実施形態ではサーバ１と第１の端末２は、別個のハードウェアであるが、１台のハードウェアが両者を兼ねて良い。
【００５４】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【００５５】
このようなプログラムを含む記録媒体は、各ユーザにプログラムを提供するために装置本体とは別に配布される、リムーバブルメディアにより構成されるだけではなく、装置本体に予め組み込まれた状態で各ユーザに提供される記録媒体等で構成される。
【００５６】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
また例えば、上述の実施形態では、アクセス先を示す画像は２次元バーコードであったが、１次元バーコードや、英数字文字列とすることもできる。
また例えば、上述の実施形態では、第２の入力フォーム１００Ｓからのアップロードを反映させた上で第１の入力フォーム１００Ｐを送信するが、第２の入力フォーム１００Ｓを送信できて良い。
【００５７】
また、例えば上述の実施形態では、第２の入力フォーム１００Ｓのアクセス先（ＵＲＬ）を示すＱＲコードが用いられたが、最終的に第２の入力フォーム１００Ｓを取得できる手法であれば足りる。即ち、第１の入力フォーム１００Ｐに、当該第１の入力フォーム１００Ｐに対応する第２の入力フォーム１００Ｓを取得する為に必要な情報自体、又はその情報を入力する入力部が含まれれば足りる。
「第２の入力フォーム１００Ｓを取得する為に必要な情報」とは、第２の入力フォーム１００Ｓのアクセス先に関する情報を含むことは勿論のこと、その情報を用いれば、最終的にその情報を用いた者が、第２の入力フォーム１００Ｓを取得できる情報であれば足りる意である。
例えば、第２の入力フォーム１００Ｓを取得する為の一連の処理が開始される為のトリガ情報も、第２の入力フォーム１００Ｓを取得する為に必要な情報に含まれる。
【００５８】
具体的には、例えば、次のような一連の処理が開始される為のトリガ情報となるメールアドレスが、第２の入力フォーム１００Ｓを取得する為に必要な情報に含まれる。
例えば先ず、第１の端末２は、第１の入力フォーム１００Ｐに、第２の端末３に届くメールアドレスを入れられる入力欄を、表示する。
次に、第１の端末２は、ユーザによる第１の入力フォーム１００Ｐに対するメールアドレス入力及び送信指示操作に応じて、第２の端末３にｅメールで第２の入力フォーム１００Ｓを取得できるＵＲＬを送信する。
続いて、ユーザによりｅメールが閲覧され、ＵＲＬのリンクがクリックされる。
すると、第２表示制御手段は、第１の入力フォームに対応する第２の入力フォームを表示する。
【００５９】
以上まとめると、本発明が適用される情報処理システムは、次のような構成を取れば足り、各種各様な実施形態を取ることができる。
即ち、本発明が適用される情報処理システムは、
サーバ（例えば図１等のサーバ１）と、第１の端末（例えば図１等の第１の端末２）と、第２の端末（例えば図１等の第２の端末３）とを含み、
前記第１の端末は、
第１の入力フォームであって、当該第１の入力フォームに対応する第２の入力フォームを取得出来るアクセス先を示す画像（例えば図４等の１１３Ｐ）を含む当該第１の入力フォーム（例えば図４等の１００Ｐ）を表示させる第１表示制御手段（例えば図３の第１表示制御部６１）
を備え、
前記第２の端末は、
前記第１の端末により表示される前記第１の入力フォームに含まれる前記アクセス先を示す画像を撮像する撮像手段（例えば図３の撮像部７７）と、
前記撮像手段に撮像された前記アクセス先を示す画像を認識するアクセス先認識手段（例えば図３のアクセス先認識部７１）と、
前記アクセス先認識手段が認識した前記アクセス先にアクセスして、前記アクセス先から前記第２の入力フォーム（例えば図４等の１００Ｓ）を取得して表示させる第２表示制御手段（例えば図３の第２表示制御部７２）と、
を備え、
前記サーバは、
前記第１の入力フォームに入力された情報又は前記第２の入力フォームに入力された情報を受け付けるアップロード受付手段（例えば図３のアップロード受付部５４）、
を備える、
情報処理システムであれば足りる。
また、
前記アップロード受付手段（例えば図３のアップロード受付部５４）は、
前記第１の入力フォームと前記第２の入力フォームとのうち一方に入力された情報を受け付けると、他方の入力フォームにアップロードを反映させることができる。
また、
前記アクセス先を示す画像（例えば図４の１１３Ｐ）は２次元バーコード画像である、ようにすることができる。
このような情報処理システムを適用することで、アップロードしたい画像がパーソナルコンピュータ等に予め存在しない場合、カメラで撮像した画像を簡単かつ短時間でアップロードすることができる。
【符号の説明】
【００６０】
１・・・サーバ、２・・・第１の端末、３・・・第２の端末、２１・・・ＣＰＵ、２２・・・ＲＯＭ、２３・・・ＲＡＭ、２４・・・バス、２５・・・入出力インターフェース、２６・・・出力部、２７・・・入力部、２８・・・記憶部、２９・・・通信部、３０・・・ドライブ、４１・・・リムーバブルメディア、５１・・・２次元バーコード生成部、５２・・・第１入力フォーム生成部、５３・・・第２入力フォーム生成部、５４・・・アップロード受付部、６１・・・第１表示制御部、６２・・・第１入力情報受付部、６３・・・第１アップロード部、６４・・・第１フォーム表示部、６５・・・第１反映表示制御部、６７・・・表示部、６８・・・ＣＰＵ、７１・・・アクセス先認識部、７２・・・第２表示制御部、７３・・・第２入力情報受付部、７４・・・第２アップロード部、７５・・・第２フォーム表示部、７６・・・第２反映表示制御部、７７・・・撮像部、７８・・・通信部、７９・・・ＣＰＵ、８０・・・表示部、１００Ｐ・・・第１の入力フォーム、１００Ｓ・・・第２の入力フォーム、１１３Ｐ・・・アクセス先を示す画像、１１１Ｐ・・・写真領域、１１１Ｓ・・・写真領域、１１２Ｐ・・・写真領域、１１２Ｓ・・・写真領域、１２１Ｐ・・・ファイル選択領域、１２１Ｐ・・・ファイル選択領域、１２２Ｓ・・・画像表示領域、１２２Ｓ・・・画像表示領域、Ｎ・・・ネットワーク
【図１】
2018045521.tif 000003
【図２】
2018045521.tif 000004
【図３】
2018045521.tif 000005
【図４】
2018045521.tif 000006
【図５】
2018045521.tif 000007
【図６】
2018045521.tif 000008